(57)【特許請求の範囲】
【請求項１】
グリップを兼ねる本体ケース（１）の一端に整形ヘッド（２）を有し、整形ヘッド（２）の整形面（３）に臨んでまつ毛を加熱するヒーター（１０）が配置してある加熱型のまつ毛整形具であって、
整形ヘッド（２）に、整形ヘッド（２）で押圧されたまつ毛を受け止める毛受枠（４）が、まつ毛導入隙間（Ｅ）を介して整形面（３）と対向配置してあり、
整形ヘッド（２）に沿って設けた毛受枠（４）の突端に、まつ毛をまつ毛導入隙間（Ｅ）へ向かって導入案内するまつ毛導入部（２１）が設けられており、
まつ毛導入隙間（Ｅ）を維持した状態でくせ付けを行うことを特徴とするまつ毛整形具。
【請求項２】
整形ヘッド（２）に沿って設けた毛受枠（４）の突端に、まつ毛をまつ毛導入隙間（Ｅ）へ向かって導入案内するまつ毛導入部（２１）が設けられており、
まつ毛導入部（２１）が整形ヘッド（２）の突端より外方へ突出してある請求項１記載のまつ毛整形具。
【請求項３】
整形ヘッド（２）の突端に、まつ毛をまつ毛導入隙間（Ｅ）へ向かって導入案内するガイド面（１７）が傾斜する状態で形成してある請求項１または２記載のまつ毛整形具。
【請求項４】
まつ毛導入部（２１）が、その基端から先端へ向かうに従い整形面（３）から離れる向きに傾斜させてある請求項２または３記載のまつ毛整形具。
【請求項５】
整形ヘッド（２）の幅寸法を（Ｃ）とし毛受枠（４）の幅寸法を（Ｄ）とするとき、（Ｃ＞Ｄ）を満足できるように整形ヘッド（２）の幅寸法と毛受枠（４）の幅寸法とが設定してある請求項１から４のいずれかに記載のまつ毛整形具。
【請求項６】
整形ヘッド（２）の厚み寸法を（Ｆ）とし毛受枠（４）の厚み寸法を（Ｇ）とするとき、（Ｆ＞Ｇ）を満足できるように整形ヘッド（２）の厚み寸法と毛受枠（４）の厚み寸法とが設定してある請求項１から５のいずれかに記載のまつ毛整形具。
【請求項７】
整形面（３）に臨むヒーター（１０）の幅寸法を（Ｅ）とするとき、（Ｃ＞Ｄ）を満足し、さらに（Ｄ≧Ｅ）を満足できるようにヒーターの幅寸法が設定してある請求項５または６記載のまつ毛整形具。
【請求項８】
毛受枠（４）の左右側面の少なくとも一方に、まつ毛を梳く櫛歯（２４）が形成してある請求項１から７のいずれかに記載のまつ毛整形具。
【請求項９】
まつ毛導入隙間（Ｅ）を介して整形面（３）と対向する毛受枠（４）の枠内面（２６）が平坦面で形成してある請求項８記載のまつ毛整形具。
【請求項１０】
毛受枠（４）の枠外面に、皮膚への接触面積を小さくするための突起と凹部（２５）の少なくともいずれか一方が形成してある請求項１から９のいずれかに記載のまつ毛整形具。
【請求項１１】
毛受枠（４）が、整形面（３）とまつ毛導入隙間（Ｅ）を介して対向する使用姿勢と、使用姿勢の外へ退避する不使用姿勢との間で姿勢変更可能に本体ケース（１）に設けてある請求項１から１０のいずれかに記載のまつ毛整形具。
【請求項１２】
毛受枠（４）が、整形面（３）と対向する使用姿勢と、使用姿勢を越えて整形面から離れるまつ毛導入姿勢とに姿勢変更可能に本体ケース（１）で支持されている請求項１から１１のいずれかに記載のまつ毛整形具。
【請求項１３】
毛受枠（４）が本体ケース（１）に対して変位可能に組み付けられて、使用姿勢における毛受枠（４）と整形面（３）との対向間隔を変更できる請求項１から１２のいずれかに記載のまつ毛整形具。
【請求項１４】
整形面（３）に設けた櫛歯（１４）が、整形ヘッド（２）の基端側へ向かって傾斜する斜面（１４ａ）と、まつ毛を捕捉する立壁（１４ｂ）とで鋸歯状に形成してある請求項１から１３のいずれかに記載のまつ毛整形具。
【請求項１５】
本体ケース（１）の断面外郭線を、本体ケース（１）の中心軸線（Ｐ）を通る平面（Ｈ）で区分するとき、前記平面（Ｈ）で区分された一方の領域に整形ヘッド（２）が配置され、他方の領域で前記中心軸線（Ｐ）の近傍に毛受枠（４）が配置してある請求項１から１４のいずれかに記載のまつ毛整形具。
【請求項１６】
毛受枠（４）の先端に、マスカラ液で固まったまつ毛を梳いて分化する梳分け部（２９）が形成してある請求項１から１５のいずれかに記載のまつ毛整形具。
【請求項１７】
梳分け部（２９）が、整形面（３）と直交する向きのへら状に形成してある請求項１６記載のまつ毛整形具。
【発明の詳細な説明】
【技術分野】
【０００１】
本発明は、まつ毛をカールするためのまつ毛整形具に関する。
【背景技術】
【０００２】
この種のまつ毛整形具として、固定枠と可動枠でまつ毛を上下に挟んだ状態でくせ付けする形態が公知である（特許文献１参照）。そこでは、可動枠の側に電熱板を設けて、固定枠と可動枠で挟んだまつ毛を加熱できるようにしている。別の形態として、グリップの一端に設けた整形ヘッドで、まつ毛を上向きにすくいあげるようにしてくせ付けするまつ毛整形具が公知である（特許文献２参照）。そこでは、加熱用のヒーターが埋設された整形ヘッドの上面に櫛片が突設してある。
【０００３】
【特許文献１】特開２００２−２８０２０号公報（段落番号００１９〜２１、図５）
【特許文献２】特開２００３−３１０３３６号公報（段落番号００４０〜００４２、図４、図５）
【発明の開示】
【発明が解決しようとする課題】
【０００４】
特許文献１のまつ毛整形具は、まつ毛を固定枠と可動枠で上下に挟み、さらに電熱板で加熱してくせ付けを行なうので、まつ毛を強制的にくせ付けできる。しかし、毎日連続してまつ毛整形を行なうような場合に、まつ毛が痛み、あるいはまつ毛が脱毛してまつ毛本数が少なくなる。さらに、確実にくせ付けできる反面、使用法が不適切であるとまつ毛がく字状に折れ曲る状態でくせ付けされるなど、カール形状を自然な感じに仕上げることができなくなる。
【０００５】
その点、特許文献２のまつ毛整形具は、ヒーターの熱を加えながらまつ毛を整形ヘッドで上向きにすくいあげてくせ付けするので、まつ毛を自然な感じにカールさせることができる。しかし、まつ毛を充分にカールさせるには多くの時間が掛かり、しかもまつ毛の先端を自然な感じにカールさせるには熟練された技量が必要となる。それは、まつ毛が外力を受けた向きになびきやすく、確りと保持されていない状態のままでくせ付けを行なわねばならないからである。また、ヒーターの熱をまつ毛の必要部分に程よく加えるのが難しいことも、くせ付けを難しくしている一因になっている。
【０００６】
本発明の目的は、まつ毛を痛めることもなく、誰もがより短い時間で効果的に、しかも自然な感じにカールできるまつ毛整形具を提供することにある。
【課題を解決するための手段】
【０００７】
本発明のまつ毛整形具は、グリップを兼ねる本体ケース１の一端に整形ヘッド２を有し、整形ヘッド２の整形面３に臨んでまつ毛を加熱するヒーター１０が配置してある加熱型のまつ毛整形具を対象とし、整形ヘッド２に、整形ヘッド２で押圧されたまつ毛を受け止める毛受枠４が、まつ毛導入隙間Ｅを介して整形面３と対向配置してあることを特徴とする。
【０００８】
整形ヘッド２に沿って設けた毛受枠４の突端に、まつ毛をまつ毛導入隙間Ｅへ向かって導入案内するまつ毛導入部２１を設ける。まつ毛導入部２１は整形ヘッド２の突端より外方へ突出する。
【０００９】
整形ヘッド２の突端に、まつ毛をまつ毛導入隙間Ｅへ向かって導入案内するガイド面１７を傾斜する状態で形成する。
【００１０】
まつ毛導入部２１は、その基端から先端へ向かうに従い整形面３から離れる向きに傾斜させる。
【００１１】
図６に示すように、整形ヘッド２の幅寸法をＣとし毛受枠４の幅寸法をＤとするとき、Ｃ＞Ｄを満足できるように整形ヘッド２の幅寸法と毛受枠４の幅寸法とを設定する。
【００１２】
整形ヘッド２の厚み寸法をＦとし毛受枠４の厚み寸法をＧとするとき、Ｆ＞Ｇを満足できるように整形ヘッド２の厚み寸法と毛受枠４の厚み寸法とを設定する。
【００１３】
整形面３に臨むヒーター１０の幅寸法をＥとするとき、Ｃ＞Ｄを満足し、さらにＤ≧Ｅを満足できるようにヒーターの幅寸法を設定する。
【００１４】
毛受枠４の左右側面の少なくとも一方に、まつ毛を梳く櫛歯２４を形成する。
【００１５】
まつ毛導入隙間Ｅを介して整形面３と対向する毛受枠４の枠内面２６を平坦面で形成する。なお、ここで言う平坦面とは、文言どおりに平坦面であることと、凹凸のない外突状の湾曲平面であることとの双方を含む概念である。
【００１６】
毛受枠４の枠外面に、皮膚への接触面積を小さくするための突起と凹部２５の少なくともいずれか一方を形成する。
【００１７】
毛受枠４は、整形面３とまつ毛導入隙間Ｅを介して対向する使用姿勢と、使用姿勢の外へ退避する不使用姿勢との間で姿勢変更可能に本体ケース１に設ける。
【００１８】
毛受枠４は、整形面３と対向する使用姿勢と、使用姿勢を越えて整形面から離れるまつ毛導入姿勢とに姿勢変更可能に本体ケース１で支持する。
【００１９】
毛受枠４が本体ケース１に対して変位可能に組み付ける。以て、使用姿勢における毛受枠４と整形面３との対向間隔を変更できるようにする。
【００２０】
整形面３に設けた櫛歯１４を、整形ヘッド２の基端側へ向かって傾斜する斜面１４ａと、まつ毛を捕捉する立壁１４ｂとで鋸歯状に形成する。
【００２１】
本体ケース１の断面外郭線を、本体ケース１の中心軸線Ｐを通る平面Ｈで区分するとき、前記平面Ｈで区分された一方の領域に整形ヘッド２を配置し、他方の領域で前記中心軸線Ｐの近傍に毛受枠４を配置する。
【００２２】
毛受枠４の先端に、マスカラ液で固まったまつ毛を梳いて分化する梳分け部２９を形成する。
【００２３】
梳分け部２９は、整形面３と直交する向きのへら状に形成する。
【発明の効果】
【００２４】
本発明においては、毛受枠４をまつ毛導入隙間Ｅを介して整形ヘッド２の整形面３と対向する状態で配置し、くせ付け時に整形ヘッド２で押圧されるまつ毛を毛受枠４で受け止めて、まつ毛の移動を毛受枠４で緩やかに規制しながらカールできるようにした。したがって、本発明のまつ毛整形具によれば、まつ毛をより確実にくせ付けでき、しかも自然な感じにカールさせることができる。また、従来のこの種のまつ毛整形具に比べて、まつ毛をより短い時間でくせ付けできるうえ、一般ユーザーであっても的確にまつ毛をカールできる。まつ毛の離れた部位を整形ヘッド２と毛受枠４とで単に受け止めた状態でくせ付けを行なうので、まつ毛の一部分を機械的に挟持してくせ付けを行なう従来のまつ毛整形具に比べて、まつ毛の挟持部分が集中的にダメージを受けて痛むのを解消でき、これに伴いまつ毛本数が徐々に減少することも阻止できる。
【００２５】
毛受枠４の突端に設けたまつ毛導入部２１を、整形ヘッド２の突端より外方へ突出すると、整形ヘッド２をまつ毛列の一端から他端へ向かって動かしながら、まつ毛をまつげ導入隙間Ｅへ導入するとき、まつ毛をまつ毛導入部２１で移行案内しながらまつげ導入隙間Ｅへ導入できるので、まつ毛の導入を確実にしかも簡便に行える。
【００２６】
整形ヘッド２の突端に、まつ毛をまつ毛導入隙間Ｅへ向かって導入案内するガイド面１７を形成すると、ガイド面１７によってまつ毛を導入案内できるので、先のまつ毛導入部２１による導入案内機能と併せて、まつ毛の導入をさらに確実にしかも簡便に行える。
【００２７】
まつ毛導入部２１を基端から先端へ向かうに従い整形面３から離れる向きに傾斜させると、毛受枠４をまつ毛に対して大まかに位置決めしておきさえすれば、まつ毛導入部２１に当たったまつ毛をまつ毛導入隙間Ｅへ向かって誘導して導入案内できるので、まつ毛の導入をさらに確実にしかも簡便に行える。
【００２８】
整形ヘッド２の幅寸法をＣとし毛受枠４の幅寸法をＤとするとき、Ｃ＞Ｄを満足できるように整形ヘッド２の幅寸法と毛受枠４の幅寸法とが設定してあると、まつ毛をカールする際に上まぶたに接触する毛受枠４の幅寸法をできるだけ小さくして、毛受枠４がカール状況を目視するときの邪魔になるのをよく防止できる。したがって、まつ毛のくせ付けをより的確に行なうことができる。
【００２９】
整形ヘッド２の厚み寸法をＦとし毛受枠４の厚み寸法をＧとするとき、Ｆ＞Ｇを満足できるように整形ヘッド２の厚み寸法と毛受枠４の厚み寸法とが設定してあると、まつ毛をカールする際に上まぶたに接触する毛受枠４の厚み寸法をできるだけ小さくして、まつ毛の根元に近い側を整形ヘッド２でカールでき、したがってまつ毛のくせ付けをより的確に行なうことができる。まつ毛をまつ毛導入隙間Ｅへ導入するとき、毛受枠４が邪魔になるのを防止し、あるいは鏡に写った目許の周りの視野を妨げるのを防止できる。
【００３０】
整形面３に臨むヒーター１０の幅寸法をＥとするとき、先のＣ＞Ｄを満足し、さらにＤ≧Ｅを満足できるようにヒーターの幅寸法が設定してあると、ヒーター１０が肌面に対して直接臨むのを避けて見た目の恐怖感を緩和できる。さらに、例えば毛受枠４が湾曲して整形面３が皮膚面に近づくような場合であっても、ユーザーに熱い感じを与えるのを防止できる。また、ヒーター１０の伝導熱によって櫛ケース１２の表面温度が一定以上に高くなるのを防ぎながら、ヒーター１０の放射熱によって毛受枠４の表面温度が高くなるのを防ぐことができる。したがって、毛受枠４や櫛ケース１２が敏感な肌面に直接触れる場合でも、ユーザーに熱い感じを与えることなくカール作業を円滑に行なえる。
【００３１】
毛受枠４の左右側面の少なくとも一方に、まつ毛を梳く櫛歯２４を形成すると、毛受枠４で受け止め保持されたまつ毛が毛受枠４の長手方向へ移動するのを櫛歯２４で規制して、すべてのまつ毛を確実にしかも均質にカールできる。毛受枠４の左右両側に櫛歯２４が形成してある場合には、まつ毛整形具を右手で持つ場合と、左手で持つ場合とのいずれの場合であっても同じ条件でくせ付けを行なえるので、まつ毛をカール整形したときの利き手の違いによる仕上がり状態の差を一掃できる。
【００３２】
整形面３と対向する毛受枠４の枠内面２６を平坦面で形成すると、整形ヘッド２をまつ毛列の一端から他端へ向かって動かしながら、まつ毛をまつげ導入隙間Ｅへ導入するとき、まつ毛が毛受枠４に引っ掛るのを一掃でき、したがって、まつげ導入隙間Ｅに対するまつげの導入をさらに円滑に行なえる。
【００３３】
毛受枠４の枠外面に、皮膚への接触面積を小さくするための突起と凹部２５の少なくともいずれか一方を形成すると、毛受枠４を顔面に接当した状態における肌面と毛受枠４との接触面積を充分に小さくできる。したがって、毛受枠４がヒーター１０で加熱されていたとしても、肌面における熱い感じを和らげることができ、まつ毛のカール作業を円滑に行なえる。
【００３４】
毛受枠４を本体ケース１に対して姿勢変更可能に設けると、必要に応じて毛受枠４を整形面３と対向する使用姿勢と、使用姿勢の外へ退避する不使用姿勢とに変位して、まつ毛整形具の応用範囲を拡大できる。例えば、まつ毛を整形ヘッド２で直接押し付けてカールする場合には毛受枠４が邪魔になるが、毛受枠４を不使用姿勢にしておくことにより、整形ヘッド２によるくせ付けをより円滑に行なえる。このように、整形ヘッド２をまつ毛に直接押し付けてカールする使い方は、上まぶた側のまつ毛に比べて長さが短い下まぶた側のまつ毛をくせ付けする場合や、上まぶたのまつげの長さが著しく短い場合などに利用され、その際に毛受枠４が邪魔になるのを解消できる。
【００３５】
毛受枠４が、整形面３と対向する使用姿勢と、使用姿勢を越えて整形面３から離れるまつ毛導入姿勢とに姿勢変更可能に本体ケース１で支持してあると、まつ毛導入姿勢にした毛受枠４と整形面３との対向隙間を大きくできる。したがって、毛受枠４をまつ毛導入姿勢にしたのち、整形ヘッド２をまつ毛の下面側に位置させた状態で毛受枠４を使用姿勢に復帰させることにより、まつ毛を毛受枠４と整形面３との間に位置させることができる。先に説明したように、整形ヘッド２をまつ毛列の一端から他端へ向かって動かしながら、まつ毛をまつげ導入隙間Ｅへ導入する場合に比べて、まつ毛導入隙間Ｅへのまつ毛の導入をより簡便に、しかも迅速に行なえる。
【００３６】
毛受枠４を本体ケース１に対して変位可能に組み付け、使用姿勢における毛受枠４と整形面３との対向間隔を変更できるようにしてあると、個々のユーザーのまつ毛の太さ、長さ、およびまつ毛密度に応じて先の対向間隔を変更し、あるいはユーザーの好みに応じて先の対向間隔を変更して、くせ付け作業をより効果的に行うことができる。
【００３７】
整形面３に設けた櫛歯１４を斜面１４ａと立壁１４ｂとで鋸歯状に形成すると、まつ毛の導入を円滑に行ないながら、櫛歯１４で捕捉されたまつ毛を立壁１４ｂで確実に受け止めて、まつ毛が整形面３に沿って移動するのを確実に規制できる。したがって、整形ヘッド２を回転操作してまつ毛をカールするとき、まつ毛が整形面３の長手方向へ揺れ動くのを規制して、的確にくせ付けを行なえる。まつ毛を立壁１４ｂで捕捉した状態でくせ付けを行なうので、まつ毛をヒーター１０で過不足のない状態で適切に加熱できる。
【００３８】
まつ毛をカールするときは、毛受枠４を中心にして整形ヘッド２を上向きに回転操作する。このとき、例えば本体ケース１の前半領域に整形ヘッド２を配置し、後半領域内の中心軸線Ｐの近傍に毛受枠４が配置してあると、本体ケース１の回転動作と整形ヘッド２の回転動作とが一致しやすくなる。したがって、一般ユーザーであっても先の回転操作を常に安定した状態で行なって、まつ毛のカールを円滑にしかも確実に行なうことができる。
【００３９】
毛受枠４の先端に梳分け部２９が設けてあると、カールしたまつ毛にマスカラ液を塗布した状態において、マスカラ液で固まったまつ毛を梳分け部２９で梳き流して単毛状に分化し、まつ毛をより自然な感じに仕上げることができる。
【００４０】
梳分け部２９が整形面３と直交する向きのへら状に形成してあると、まつ毛整形具の全体を垂直姿勢にして梳分け部２９でまつ毛を梳き流すとき、毛受枠４のみを顔面に近接させ、整形ヘッド２を顔面から離れた状態にして、梳分け部２９を押し上げ操作すればよいので、梳分け部２９によるまつ毛の梳き流し作業をより簡便に行なえる。因みに、梳分け部２９が整形面３と平行な向きのへら状に形成してある場合には、毛受枠４および整形ヘッド２の両者が顔面に近接するので、整形ヘッド２が邪魔になりやすい。
【発明を実施するための最良の形態】
【００４１】
（実施例１）  図１ないし図７は本発明に係るまつ毛整形具の実施例を示す。図１においてまつ毛整形具は、グリップを兼ねる中空筒状の本体ケース１と、本体ケース１の上端に設けられる整形ヘッド２と、整形ヘッド２の整形面３とまつ毛導入隙間Ｅを介して対向する毛受枠４とで構成する。本体ケース１の下端にはキャップ５がねじ込み装着してあり、キャップ５を本体ケース１から取り外した状態において、電池６をケース内部に出し入れできる。本体ケース１の前面には、電池６と後述するヒーター１０との通電状態をオン・オフするスイッチノブ７が設けてある。
【００４２】
整形ヘッド２は、ヒーター１０を収容するヒーターホルダー１１と、ヒーターホルダー１１に外嵌装着される櫛ケース１２とで構成する。櫛ケース１２の毛受枠４との対向面が先の整形面３となる。図４に示すように、ヒーターホルダー１１は断面コ字形の樋体状に形成してあり、その開口面に櫛歯１３の一群が多段リブ状に形成してある（図２参照）。ヒーター１０は絶縁被覆が施されたニクロム線からなり、ホルダー内部の上端において反転状に折り曲げた状態でヒーターホルダー１１内に収容してある。図３および図４に示すように、ヒーターホルダー１１に収容したヒーター１０の円形周面は、櫛歯１３の内端面で受け止められて、櫛歯１３の上下方向の隣接隙間からホルダー外面に臨んでいる。
【００４３】
櫛ケース１２は、ヒーターホルダー１１より一回り大きな断面コ字形の樋体状に形成してあり、その開口面に櫛歯１４の一群が多段リブ状に形成してある（図２参照）。この櫛歯１４のリブ幅および隣接ピッチは、先の櫛歯１３のリブ幅および隣接ピッチと同じに設定してある。したがって、図３に示すように櫛ケース１２をヒーターホルダー１１に外嵌装着した状態においては両櫛歯１３・１４が内外に重なり、各櫛歯１３・１４の間の隙間を介してヒーター１０が櫛ケース１２の外面に臨んでいる。これにより、櫛歯１４に捕捉されたまつ毛は、両櫛歯１３・１４の上下方向の隣接隙間に入り込んで、ヒーター１０の放射熱あるいは伝導熱によって加熱される。
【００４４】
ヒーターホルダー１１に外嵌した櫛ケース１２の装着状態を維持するために、ヒーターホルダー１１の基端と、櫛ケース１２の下端のボス１２ａの内面とに、互いに嵌係合する連結リブ１５と連結凹部１６がそれぞれ周回状に形成してある。櫛ケース１２の下端のボス１２ａは後述する連結軸３１に係合装着した連結リング２２で受け止めて、毛受枠４を抜け止め保持している（図３参照）。整形ヘッド２の突端、より詳しくは櫛ケース１２の突端には、まつ毛をまつ毛導入隙間Ｅへ向かって導入案内するガイド面１７が下り傾斜する状態で形成してある。
【００４５】
毛受枠４は、まつ毛導入隙間Ｅを介して整形面３と対向する捕捉部２０と、捕捉部２０の上突端に設けられるまつ毛導入部２１と、捕捉部２０の下端に設けられる連結リング２２とを一体に備えている。先の整形面３を構成する櫛ケース１２が弾性変形しにくいプラスチック素材で形成してあるのに対し、毛受枠４は弾性を有するプラスチック素材で形成してある。これは、まつ毛をカーリングするとき、毛受枠４が僅かに弾性変形することで、くせ付け作業を円滑に行なえるからであり、さらに眼や眼の周辺の皮膚部分に毛受枠４が当たるときの危険を避け、ユーザーに安心感を与えるためである。捕捉部２０は断面四角形状に形成してあり、その左右側面のそれぞれにまつ毛を梳く櫛歯２４の一群が一定間隔おきに形成してある。また、枠外面の側には、皮膚との接触面積を小さくするための凹部２５が、捕捉部２０およびまつ毛導入部２１に沿って一定間隔おきに凹み形成してある。まつ毛導入隙間Ｅを介して整形面３と対向する毛受枠４の枠内面２６は平坦面で形成してある。先の櫛歯２４は、断面鋸刃状に形成してもよい。
【００４６】
まつ毛導入部２１は、整形ヘッド２の上突端より上方へ突出する状態で設けてあり、さらに整形ヘッド２と対向する導入面２８が、まつ毛導入部２１の基端から先端へ向かうに従い整形面３から離れる向きに傾斜させてある。まつ毛導入部２１の突端面には、マスカラ液で固まったまつ毛を梳いて分化する梳分け部２９が形成してある。図２に示すように梳分け部２９は、整形面３と直交する複数個の櫛歯状で形成してある。
【００４７】
連結リング２２は弾性変形可能なＣ状のリングからなり、図５に示すように、先の連結リブ１５の下方に設けた連結軸３１に圧嵌装着されて、連結軸３１の周面に突設したリブ状の位置決め突起３２で遊動回転不能に保持される。連結軸３１の連結リング２２に対する装着姿勢を変更することにより、枠内面２６が整形面３とまつ毛導入隙間Ｅを介して対向する使用姿勢と、枠内面２６が使用姿勢の外へ退避する不使用姿勢とに姿勢変更できる。より詳しくは、櫛ケース１２を本体ケース１から分離したのち、毛受枠４を中心軸線Ｐに沿って抜き外し、その姿勢を中心軸線Ｐの回りに１８０度反転したうえで、連結リング２２を連結軸３１に圧嵌係合し、連結リング２２の遊端を位置決め突起３２で受け止めることにより、毛受枠４を回転不能に装着保持できる。こののち、櫛ケース１２を本体ケース１に対して再装着することにより、連結リング２２を分離不能に固定できる。多くの場合は、図５に想像線で示すように、不使用姿勢における捕捉部２０は、使用位置から連結軸３１の回りに１８０度変位した位置に保持しておく。なお、毛受枠４は櫛ケース１２で抜け止め保持する必要はなく、櫛ケース１２を固定する連結凹部１６と連結リブ１５の係合構造と同様に、連結リング２２と連結軸３１との間に設けた係合構造で抜け止め保持することができる。
【００４８】
上記のように構成したまつ毛整形具の各部の寸法を図６に示す。図６において符号Ｃは整形ヘッド２の幅寸法、Ｄは毛受枠４の幅寸法である。符号Ｅはヒーターの幅寸法、Ｆは整形ヘッド２の厚み寸法、Ｇは毛受枠４の厚み寸法である。これらの各部の寸法関係は、以下の各式を満足するように設定する。式１−（Ｃ＞Ｄ）、式２−（Ｆ＞Ｇ）、式３−（Ｄ≧Ｅ）。
【００４９】
式１を満足するように、整形ヘッド２の幅寸法Ｃと毛受枠４の幅寸法Ｄとを設定することにより、まつ毛をカールする際に上まぶたに接触する毛受枠４の幅寸法をできるだけ小さくして、毛受枠４がカール状況を目視するときの邪魔になるのをよく防止できる。したがって、まつ毛のくせ付けをより的確に行なうことができる。
【００５０】
式２を満足するように、整形ヘッド２の厚み寸法Ｆと毛受枠の厚み寸法Ｇとを設定することにより、まつ毛をカールする際に上まぶたに接触する毛受枠４の厚み寸法をできるだけ小さくして、まつ毛の根元に近い側を整形ヘッド２でカールでき、したがってまつ毛のくせ付けをより的確に行なうことができる。まつ毛をまつ毛導入隙間Ｅへ導入するとき、毛受枠４が邪魔になるのを防止し、あるいは鏡に写った目許の周りの視野を妨げるのを防止できる。
【００５１】
式１と式３を同時に満足することにより、ヒーター１０が肌面に対して直接臨むのを避けて見た目の恐怖感を緩和できる。さらに、例えば毛受枠４が湾曲して整形面３が皮膚面に近づくような場合であっても、ユーザーに熱い感じを与えるのを防止できる。また、ヒーター１０の伝導熱によって櫛ケース１２の表面温度が一定以上に高くなるのを防ぎながら、ヒーター１０の放射熱によって毛受枠４の表面温度が高くなるのを防ぐことができる。したがって、毛受枠４や櫛ケース１２が敏感な肌面に直接触れる場合でも、ユーザーに熱い感じを与えることなくカール作業を円滑に行なえる。
【００５２】
本体ケース１と、整形ヘッド２と、毛受枠４との三者は以下の配置関係にあることが好ましい。図６に示すように、起立したまつ毛整形具を平面から見る状態において、本体ケース１の断面外郭線を、本体ケース１のグリップ部分の中心軸線Ｐを通る平面Ｈで区分するとき、前記平面で区分された一方の領域に整形ヘッド２を配置し、他方の領域で中心軸線Ｐの近傍に毛受枠４を配置する。この実施例では、毛受枠４が後者領域内にあり、しかも枠内面２６が中心軸線Ｐを通る平面Ｈ上に位置するようにした。
【００５３】
上記構成のまつ毛整形具は、片手で本体ケース１を握り、スイッチノブ７をオン状態にしてヒーター１０を加熱した状態で使用する。まず毛受枠４が上部に位置する状態で、まつ毛整形具を概ね水平に保持し、まつ毛導入隙間Ｅにまつ毛が入込むように整形ヘッド２および毛受枠４を、まつ毛の一端から他端へ向かって動かす。このとき、毛受枠４の突端に整形ヘッド２の突端より突出するまつ毛導入部２１を設け、さらに整形ヘッド２の突端とまつ毛導入部２１に、それぞれまつ毛導入隙間Ｅへ向かって傾斜するガイド面１７、および導入面２８を設けているので、まつ毛をまつ毛導入隙間Ｅに容易に導入案内できる。
【００５４】
次に、まつ毛の下面側に整形ヘッド２の整形面３を押し当て、両櫛歯１３・１４の間の隙間にまつ毛を導入する。この状態で、図７に示すようにまつ毛を上向きにすくいあげながら、整形ヘッド２を毛受枠４を中心にして矢印Ｊで示すように回転操作して、まつ毛をヒーター１０で加熱しながら上向きにカールする。図７に示す状態のままで、整形ヘッド２および毛受枠４を顔面から離れる向きに移動することにより、まつ毛の毛先部分まで確実にカールできる。
【００５５】
上記のくせ付け時には、まつ毛の根元側や中途部が、毛受枠４の側面と枠内面２６との隣接隅部で受け止め保持される。そのため、整形面３や櫛ケース１２で上向きに押し上げられるとき、まつ毛がこれら両者３・１２に同行して揺れ動こうとするのを毛受枠４で規制できる。つまり、毛受枠４でまつ毛の移動を緩やかに規制した状態で、まつ毛を的確にカール変形できる。したがって、従来のこの種のまつ毛整形具に比べると、まつ毛をより短い時間で自然な感じにカールさせることができる。しかも、一般ユーザーであっても簡単にまつ毛を的確にカールすることができる。まつ毛をくせ付けするときはまつ毛を櫛歯２４で捕捉して、まつ毛が毛受枠４に沿って横移動するのを規制できるので、隣接する櫛歯２４の間に捕捉されたまつ毛の一群を適正にくせ付けできる。
【００５６】
また、まつ毛の離れた部位を整形ヘッド２と毛受枠４とで受け止めてくせ付けを行なうので、まつ毛を機械的に密着挟持してくせ付けを行なう場合に比べて、まつ毛が痛むのを解消し、まつ毛本数が減るのを阻止できる。さらに、両櫛歯１３・１４の間の隙間を通過する間にまつ毛をヒーター１０で加熱するので、まつ毛が不必要に加熱されて痛むのを防止できる。
【００５７】
図７に示すように、毛受枠４を顔面に接当した状態においては、その枠外面が上まぶたに密着するが、枠外面の殆どは凹部２５によって占められており、しかも凹部２５の表面積が大きく、肌面と毛受枠４との接触面積を充分に小さくできる。したがって、毛受枠４がヒーター１０で加熱されていたとしても、肌面における熱い感じを和らげることができる。片方の目のまつ毛のくせ付けが終了したら、本体ケース１を逆の手に持変えて左右逆向きにした状態で、他方の目のまつ毛をくせ付けする。このように、左右逆向きに使用するときでも、同じようにくせ付けを行なうために、毛受枠４の左右両側に櫛歯２４を設けている。
【００５８】
下まぶた側のまつ毛は上まぶた側のまつ毛に比べて長さが短く、そのため、下まぶた側のまつ毛をくせ付けする場合には毛受枠４が邪魔になる。その場合には、毛受枠４を使用位置から連結軸３１の回りに１８０度変位した不使用位置（図５の想像線で示す位置）に保持して、整形面３を下まぶた側のまつ毛に直接押し付けて押し下げ、まつ毛を下向きにカールさせる。上まぶたのまつげの長さが短いユーザーの場合には、同様に整形面３を上まぶた側のまつ毛に直接押し付けてくせ付けを行なってもよい。
【００５９】
先に説明したように、まつ毛をカールするときは、毛受枠４を中心にして整形ヘッド２を上向きに回転操作する。このとき、図６にように本体ケース１の前半領域に整形ヘッド２を配置し、後半領域内の中心軸線Ｐの近傍に毛受枠４が配置してあると、本体ケース１（グリップ）の回転動作と整形ヘッド２の回転動作とが一致しやすくなる。したがって、一般ユーザーであっても先の回転操作を常に安定した状態で行なって、まつ毛のカールを円滑にしかも確実に行なうことができる。
【００６０】
以下に、まつ毛整形具の変形実施例を示す。各変形実施例においては、実施例１で説明したまつ毛整形具と大きく異なる部分に限って説明し、実施例１で説明したまつ毛整形具と同じ部材には同じ符号を付して、その説明を省略する。
【００６１】
（実施例２）  図８のまつ毛整形具は、基本的に実施例１と同じ構造に構成して、毛受枠４を使用姿勢と不使用姿勢とに変位操作するための構造を変更したものである。そこでは、毛受枠４の基端に設けた旋回軸３５を本体ケース１で旋回自在に軸支して、不使用姿勢における毛受枠４を想像線で示すように本体ケース１の外面に沿って保持できるようにした。
【００６２】
（実施例３）  図９のまつ毛整形具は、実施例２と同様に毛受枠４を使用姿勢と不使用姿勢とに変位操作するための構造を変更したものである。そこでは、毛受枠４の全体を、本体ケース１に対してケース中心軸に沿ってスライド出退可能に組み込んで、不使用姿勢における毛受枠４を、想像線で示すように本体ケース１の収容部３６内に収納できるようにする点が先の実施例と異なる。
【００６３】
（実施例４）  図１０のまつ毛整形具は、整形ヘッド２と毛受枠４のそれぞれを湾曲状に形成して、まつ毛導入隙間Ｅを湾曲空間で形成する点が先の実施例と異なる。この場合には、まつ毛導入部２１の湾曲半径を捕捉部２０の湾曲半径より小さくして、導入面２８をまつ毛導入隙間Ｅへ向かって傾斜する湾曲面で形成する。
【００６４】
（実施例５）  図１１のまつ毛整形具は、実施例４と同様に、整形ヘッド２と毛受枠４のそれぞれを湾曲状に形成した。そのうえで、毛受枠４の基端をピン３８で揺動可能に軸支し、毛受枠４の全体を操作レバー３９で使用姿勢と、使用姿勢を越えて整形面から離れるまつ毛導入姿勢とに切り換え操作できるようにした。操作レバー３９はピン４０で揺動可能に軸支されて、ねじりコイル形のばね４１で待機付勢してある。毛受枠４と操作レバー３９とは、連結ピン４２と長穴を介して連動可能に連結してある。また、毛受枠４の基端を櫛ケース１２に設けたストッパー４３で受け止めることにより、毛受枠４を使用姿勢に位置保持できるようにしている。
【００６５】
この実施例では、操作レバー３９をばね４１に抗して本体ケース１側へ引き寄せ操作することにより、毛受枠４を整形面３と対向する使用姿勢と、使用姿勢を越えて整形面３から離れるまつ毛導入姿勢とに姿勢変更できる。したがって、まつ毛整形具の全体をまつ毛に沿って移動させる必要がなく、毛受枠４をまつ毛導入姿勢にした状態で整形ヘッド２をまつ毛の下面側に位置させ、その状態で毛受枠４を使用姿勢に戻すことにより、まつ毛をより簡便にまつ毛導入隙間に導入することができる。
【００６６】
（実施例６）  個々のユーザーのまつ毛の太さ、長さ、およびまつ毛密度にはばらつきがあり、こうしたばらつきに対応してまつ毛導入隙間Ｅの値を変更することにより、くせ付け作業をより効果的に行うことができる。こうした要請に応えて、まつ毛導入隙間Ｅの値を大小に変更できるようにしたまつ毛整形具を図１２に示す。そこでは、毛受枠４の基端に設けたスライド片４６を、本体ケース１に設けた斜めのガイド溝４７で移行案内して、まつ毛導入隙間Ｅの値を大小に変更できるようにした。スライド片４６をガイド溝４７の下端に位置させた状態では、まつ毛導入隙間Ｅ１の値を小さくでき、逆に、スライド片４６をガイド溝４７の上端に位置させた状態では、まつ毛導入隙間Ｅ２の値を大きくできる。
【００６７】
（実施例７）  図１３のまつ毛整形具は、実施例６と同様にまつ毛導入隙間Ｅの値を大小に変更できるようにしたものである。そこでは、ヒーターホルダー１１の前後面のそれぞれにヒーター１０・１０を収容し、その前後の開口に多段リブ状の櫛歯１３・１３を設けて整形ヘッド２とした。この場合には、櫛ケース１２を省略している。ヒーターホルダー１１は、本体ケース１の中心から僅かに偏寄する位置に設ける。この実施例では、毛受枠４を実線で示す使用位置で整形面３と正対させる場合と、毛受枠４を想像線で示す使用位置で整形面３と正対させる場合とで、それぞれまつ毛導入隙間Ｅ１・Ｅ２の値を大小に変更できる。毛受枠４の両使用位置の間の姿勢変更は、実施例１で説明した連結リング２２の連結軸３１に対する装着位置を１８０度変更することで行なうことができる。
【００６８】
（実施例８）  図１４のまつ毛整形具は、櫛ケース１２に形成される櫛歯１４の歯形状を変更した実施例である。そこでは櫛歯１４を整形ヘッド２の基端側へ向かって傾斜する斜面１４ａと、まつ毛を捕捉する立壁１４ｂとで鋸歯状に形成した。立壁１４ｂは整形面３とほぼ直交する面壁で形成する。したがって櫛歯１４で捕捉されたまつ毛は、立壁１４ｂで確実に受け止められて横方向へ移動するのが規制される。この場合には図１４に示すように、数本のまつ毛が斜面１４ａと立壁１４ｂで捕捉されて、ヒーター１０の放射熱によって加熱される場合と、まつ毛がヒーターホルダー１１側の櫛歯１３の間に入り込んで加熱される場合とがある。
【００６９】
（実施例９）  図１５のまつ毛整形具は、まつ毛導入部２１の先端に設けた梳分け部２９の変形例を示す。図１５（ａ）では、毛導入部２１の先端に複数個の突起２９ａを設けて梳分け部２９とした。図１５（ｂ）では、毛導入部２１の先端を整形面３と平行なへら状に形成して梳分け部２９とした。図１５（ｃ）では、毛導入部２１の先端を整形面３と直交するへら状に形成して梳分け部２９とした。
【００７０】
上記の実施例以外に、毛受枠４の枠外面に形成した凹部２５に変えて、多数個の突起を枠外面に形成してもよい。整形ヘッド２の断面は概ね四角形状となるが、その場合の整形面３、整形面３に連続する左右側面、整形面３と対向する前面のそれぞれは、外突状の湾曲面で形成することができる。同様に、毛受枠４の四角形断面を構成する枠内面２６、枠内面２６に連続する枠側面、枠内面２６と対向する枠外面のそれぞれは、外突状の湾曲面で形成することができる。整形ヘッド２と毛受枠４の各辺部の湾曲面は、中心軸線Ｐに沿う湾曲面と、中心軸線Ｐと直行する向きに沿う湾曲面とのいずれであってもよく、両方の湾形状を含む３次元湾曲面であってもよい。整形面３および枠内面２６は、互いに対向相手側へ向かって膨出する湾曲面で形成することができる。ヒーターホルダー１１の外面にまつ毛を梳き流す櫛歯を設けることができ、その場合にはヒーターホルダー１１の櫛歯でまつ毛を直接梳き流すことができるので、櫛ケース１２を省略することができる。
【００７１】
上記の実施例では、整形ヘッド２の側に限ってヒーター１０を設けたが、必要があれば毛受枠４の側にもヒーターを設けることができる。その場合には、毛受枠４の側のヒーターの熱出力が、ヒーター１０の熱出力より小さくなるように設定することが好ましい。このように設定したまつ毛整形具によれば、まつ毛の複数箇所を同時に加熱してまつ毛のくせ付けをより的確に行なえるうえ、肌面に近い側の毛受枠４の温度を低くして、肌面における熱い感じを和らげ、ユーザーの安心感を向上できる。
【図面の簡単な説明】
【００７２】
【図１】まつ毛整形具の正面図である。
【図２】整形ヘッドの一部を分解した状態の背面図である。
【図３】整形ヘッドの一部を破断した正面図である。
【図４】図３におけるＡ−Ａ線断面図である。
【図５】図３におけるＢ−Ｂ線断面図である。
【図６】本体ケースと整形ヘッドおよび毛受枠の配置構造を示す概略平面図である。
【図７】まつ毛整形具の使用状態を示す説明図である。
【図８】実施例２に係るまつ毛整形具の正面図である。
【図９】実施例３に係るまつ毛整形具の正面図である。
【図１０】実施例４に係るまつ毛整形具の正面図である。
【図１１】実施例５に係るまつ毛整形具の一部破断正面図である。
【図１２】実施例６に係るまつ毛整形具の正面図である。
【図１３】実施例７に係るまつ毛整形具の横断平面図である。
【図１４】実施例８に係るまつ毛整形具の正面図である。
【図１５】梳分け部の変形例を示す斜視図である。
【符号の説明】
【００７３】
１  本体ケース
２  整形ヘッド
３  整形面
４  毛受枠
１０  ヒーター
１１  ヒーターホルダー
１２  櫛ケース
２１  まつ毛導入部
２４  櫛歯
Ｅ  まつ毛導入隙間
【図１】
0005137189.tif 000002
【図２】
0005137189.tif 000003
【図３】
0005137189.tif 000004
【図４】
0005137189.tif 000005
【図５】
0005137189.tif 000006
【図６】
0005137189.tif 000007
【図７】
0005137189.tif 000008
【図８】
0005137189.tif 000009
【図９】
0005137189.tif 000010
【図１０】
0005137189.tif 000011
【図１１】
0005137189.tif 000012
【図１２】
0005137189.tif 000013
【図１３】
0005137189.tif 000014
【図１４】
0005137189.tif 000015
【図１５】
0005137189.tif 000016